【手続補正書】
【提出日】平成16年10月18日(2004.10.18)
【手続補正１】
【補正対象書類名】明細書
【補正対象項目名】特許請求の範囲
【補正方法】変更
【補正の内容】
【特許請求の範囲】
【請求項１】
ユーザから商品又は役務の購入要求を受け付ける購入受付サーバと、
購入に伴う決済を支援する決済支援サーバと、
を備え、
前記購入受付サーバは、
購入に伴う決済を要求したユーザに対する与信枠を確保するよう要求するための要求情報を前記決済支援サーバに送信する第１の要求送信部と、
前記要求に対する応答情報を前記決済支援サーバから受信する第１の応答受信部と、
前記応答情報の受信状況を前記決済支援サーバへ通知する受信状況通知部と、
を含み、
前記決済支援サーバは、
前記購入受付サーバから前記要求情報を受け付ける要求受付部と、
前記要求情報を、決済処理を行う決済処理サーバへ送信する第２の要求送信部と、
前記要求に対する応答情報を前記決済処理サーバから受信する第２の応答受信部と、
前記応答情報を前記購入受付サーバへ送信する応答送信部と、
前記購入受付サーバから前記受信状況を取得する受信状況取得部と、を含み、
前記受信状況通知部は、ユーザの端末のウェブブラウザのタイムアウト時間よりも短い第２の時間が経過しても前記第１の応答受信部が前記応答情報を受信しなかったときに、その旨を前記決済支援サーバへ通知し、
前記決済支援サーバは、前記受信状況通知部から、前記応答情報を受信しなかった旨の通知を取得したときに、前記決済処理サーバから与信枠の確保に成功した旨の応答情報を受信していた場合には、前記決済処理サーバに、確保された与信枠を解放するよう要求する解放要求送信部をさらに含むことを特徴とする決済支援システム。
【請求項２】
前記購入受付サーバは、前記第２の時間が経過しても前記第１の応答受信部が前記応答情報を受信しなかったときに、その決済の要求を取り消すか否かを判断する第１の判断部をさらに含み、
前記受信状況通知部は、前記第１の判断部が前記決済の要求を取り消すと判断したときに、その旨を前記決済支援サーバへ通知し、
前記解放要求送信部は、前記受信状況通知部から、前記決済の要求を取り消す旨の通知を取得したときに、前記決済処理サーバに、確保された与信枠を解放するよう要求することを特徴とする請求項１に記載の決済支援システム。
【請求項３】
前記解放要求送信部は、ユーザの端末のウェブブラウザのタイムアウト時間よりも長い第３の時間が経過しても前記受信状況取得部が前記受信状況を受信しなかったときに、前記決済処理サーバに、確保された与信枠を解放するよう要求することを特徴とする請求項１または２に記載の決済支援システム。
【請求項４】
ユーザから商品又は役務の購入要求を受け付ける購入受付サーバと、
購入に伴う決済を支援する決済支援サーバと、
を備え、
前記購入受付サーバは、
購入に伴う決済を要求したユーザに対する与信枠を確保するよう要求するための要求情報を前記決済支援サーバに送信する第１の要求送信部と、
前記要求に対する応答情報を前記決済支援サーバから受信する第１の応答受信部と、
前記応答情報の受信状況を前記決済支援サーバへ通知する受信状況通知部と、
を含み、
前記決済支援サーバは、
前記購入受付サーバから前記要求情報を受け付ける要求受付部と、
前記要求情報を、決済処理を行う決済処理サーバへ送信する第２の要求送信部と、
前記要求に対する応答情報を前記決済処理サーバから受信する第２の応答受信部と、
前記応答情報を前記購入受付サーバへ送信する応答送信部と、
前記購入受付サーバから前記受信状況を取得する受信状況取得部と、
ユーザの端末のウェブブラウザのタイムアウト時間よりも長い第３の時間が経過しても前記受信状況取得部が前記受信状況を受信しなかったときに、前記決済処理サーバに、確保された与信枠を解放するよう要求する解放要求送信部と、
を含むことを特徴とする決済支援システム。
【請求項５】
前記決済支援サーバは、前記第３の時間が経過しても前記受信状況取得部が前記受信状況を受信しなかったときに、前記決済処理サーバに確保された与信枠を解放するよう要求するか否かを判断する第２の判断部をさらに含み、
前記解放要求送信部は、前記第２の判断部が要求すると判断したときに、前記決済処理サーバに、確保された与信枠を解放するよう要求することを特徴とする請求項４に記載の決済支援システム。
【請求項６】
前記決済支援サーバは、前記第３の時間が経過しても前記受信状況取得部が前記受信状況を受信しなかった決済の情報を出力する出力部をさらに含むことを特徴とする請求項４または５に記載の決済支援システム。
【請求項７】
前記解放要求送信部は、前記第３の時間が経過しても前記受信状況取得部が前記受信状況を受信しなかった決済について、与信枠を確保できたにも関わらず、前記購入受付サーバが前記応答情報を受信していなかったことを示す確認情報を取得したときに、前記決済処理サーバに、確保された与信枠を解放するよう要求することを特徴とする請求項４から６のいずれかに記載の決済支援システム。
【請求項８】
前記解放要求送信部は、前記第３の時間が経過しても前記受信状況取得部が前記受信状況を受信しなかった決済について、与信枠を確保できたにも関わらず、前記購入受付サーバが前記応答情報を受信していなかったことを示す確認情報を取得したときに、前記与信枠の確保を維持するか否かを前記購入受付サーバに問い合わせることを特徴とする請求項４から７のいずれかに記載の決済支援システム。
【請求項９】
前記解放要求送信部は、前記購入受付サーバから前記与信枠を解放すべき旨の回答を取得したときに、前記決済処理サーバに、確保された与信枠を解放するよう要求することを特徴とする請求項８に記載の決済支援システム。
【請求項１０】
ユーザから商品又は役務の購入要求を受け付ける購入受付サーバを備え、
前記購入受付サーバは、
購入に伴う決済を要求したユーザに対する与信枠を確保するよう要求するための要求情報を、前記商品又は役務の購入に伴う決済を支援する決済支援サーバに送信する要求送信部と、
前記要求に対する応答情報を前記決済支援サーバから受信する応答受信部と、
ユーザの端末のウェブブラウザのタイムアウト時間よりも短い時間が経過しても前記応答受信部が前記応答情報を受信しなかったときに、その旨を前記決済支援サーバへ通知する受信状況通知部と、
を含むことを特徴とする決済支援システム。
【請求項１１】
コンピュータに、
購入に伴う決済を要求したユーザに対する与信枠を確保するよう要求するための要求情報を、前記商品又は役務の購入に伴う決済を支援する決済支援サーバに送信する機能と、
前記要求に対する応答情報を前記決済支援サーバから受信する機能と、
ユーザの端末のウェブブラウザのタイムアウト時間よりも短い時間が経過しても前記応答情報を受信しなかったときに、その旨を前記決済支援サーバへ通知する機能と、
を実現させるプログラム。
【請求項１２】
商品又は役務の購入に伴う決済を支援する決済支援サーバを備え、
前記決済支援サーバは、
ユーザから前記商品又は役務の購入要求を受け付ける購入受付サーバから、購入に伴う決済を要求したユーザに対する与信枠を確保するよう要求するための要求情報を受け付ける要求受付部と、
前記要求情報を、決済処理を行う決済処理サーバへ送信する要求送信部と、
前記要求に対する応答情報を前記決済処理サーバから受信する応答受信部と、
前記応答情報を前記購入受付サーバへ送信する応答送信部と、
前記購入受付サーバから前記応答情報の受信状況を取得する受信状況取得部と、
ユーザの端末のウェブブラウザのタイムアウト時間よりも長い第３の時間が経過しても前記受信状況取得部が前記受信状況を受信しなかったときに、前記決済処理サーバに、確保された与信枠を解放するよう要求する解放要求送信部と、
を含むことを特徴とする決済支援システム。
【請求項１３】
コンピュータに、
ユーザから前記商品又は役務の購入要求を受け付ける購入受付サーバから、購入に伴う決済を要求したユーザに対する与信枠を確保するよう要求するための要求情報を受け付ける機能と、
前記要求情報を、決済処理を行う決済処理サーバへ送信する機能と、
前記要求に対する応答情報を前記決済処理サーバから受信する機能と、
前記応答情報を前記購入受付サーバへ送信する機能と、
前記購入受付サーバから前記応答情報の受信状況を取得する機能と、
ユーザの端末のウェブブラウザのタイムアウト時間よりも長い第３の時間が経過しても前記受信状況を受信しなかったときに、前記決済処理サーバに、確保された与信枠を解放するよう要求する機能と、
を実現させるプログラム。